(57)【特許請求の範囲】
【請求項１】
長手方向に延長するくさび案内面を有するとともに、一端部に電柱に設けられたがいしに取付けるための取付部を有する基部と、その基部の他端側部分における前記くさび案内面の上方を覆う上アゴとを一体に有し、前記基部の他端側部分にある下アゴと前記くさび案内面の上方を覆う上アゴとによって配電線の芯線を側面から挿入し得るクランプ部が構成されているクランプ本体と、
前記クランプ本体で、前記取付部から前記基部の他端側に近づくにつれ前記上アゴの内面との間隔が狭くなる前記くさび案内面に長手方向に移動自在に保持され、前記取付部側に移動されたときは前記配電線の芯線の前記クランプ部への挿入を可能にするとともに、前記基部の他端側に移動されたときはその挿入された配電線の芯線を前記下アゴ及び上アゴと協働して挾持するくさび体と、
前記クランプ本体に保持され、前記くさび体を前記基部の他端側に常時付勢する付勢手段と、
前記くさび体を前記付勢手段に抗して前記取付部側に移動したときは、そのくさび体に設けられた孔と前記基部に設けられた孔にピンを挿入して、そのくさび体が前記基部の他端側への復帰移動を阻止して、前記クランプ部に前記芯線を挿入できる状態に保持し、かつ、前記クランプ部に前記芯線を挿入した後は、前記ピンを抜いて阻止を解除して前記くさび体を復帰させ、前記芯線を挟持させる復帰移動阻止手段と、
からなることを特徴とするくさび型クランプ。
【請求項２】
付勢手段をクランプ本体の基部の取付部側部分とくさび体との間に前記くさび体と直列に設けたことを特徴とする請求項１に記載のくさび型クランプ。
【請求項３】
付勢手段をくさび体と並列に設け、前記くさび体にその付勢手段に係止される係止部を設けたことを特徴とする請求項１に記載のくさび型クランプ。
【請求項４】
クランプ本体の基部の一端側部分に付勢手段を挿入する挿入孔を設けたことを特徴とする請求項３に記載のくさび型クランプ。
【請求項５】
くさび体を付勢手段による付勢方向と反対方向に移動させるための突起部を設けたことを特徴とする請求項１，２又は３のいずれか１項に記載のくさび型クランプ。
【発明の詳細な説明】
【０００１】
【発明の属する技術分野】
本発明は、配電線を電柱に接続する際に用いられるくさび型クランプに関する。
【０００２】
【従来の技術】
従来、配電線を電柱に接続する際に用いられるクランプとしては、ボルト締付型クランプや引留クランプが知られている。また、これらのクランプは、大型で街の美観（景観）を損なうという理由から小型化された圧縮クランプも提案されている。しかしながら、上記従来のクランプは、配電線の被覆の皮剥ぎ作業以外に、ボルト・ナットの締付作業やくさびの打込作業、あるいは、圧縮器を用いた圧縮作業等を必要として、電柱の上で行われる柱上作業量が多いという欠点があった。
【０００３】
特に、配電線に電圧が課電された状態で行う活線作業においては、柱上でホットステック等を用いた間接作業となるので、柱上作業は可能な限り簡素化されることが望まれていた。そこで、本出願人は、先に、特願２０００−８６８９４号において、配電線の先端部の芯線をクランプ本体に挿入するだけで配電線をワンタッチで固定することのできるクランプを提案した。この提案に係るクランプは、電柱に設けられたがいしに取付けるための取付部と、配電線の芯線の端部を挿入するための前記取付部と反対方向に開口する開口部を有するクランプ部と、前記開口部内に移動自在に保持され、前記取付部側に移動されたときに前記配電線の芯線の前記開口部への挿入を可能にするとともに、前記クランプ部側に移動されたときにその挿入された配電線の芯線を挾持するくさび体と、そのくさび体を前記開口部側に常時付勢する付勢手段とから構成されている。
【０００４】
【発明が解決しようとする課題】
上記提案に係るクランプは、配電線をワンタッチで固定することができるので、活線作業に好適なものであるが、依然として、芯線にその芯線とは別のジャンパ線を取付けなければならないという問題があった。
【０００５】
本発明の課題は、配電線をワンタッチで固定でき、しかも、芯線に対する別のジャンパ線の取付が不要なワンタッチ型のクランプを提供することにある。
【０００６】
【課題を解決するための手段】
上記課題を解決するために、本発明に係るクランプは、（ａ）クランプ本体と、くさび体と、付勢手段と、復帰移動阻止手段とからなり、（ｂ）前記クランプ本体は、長手方向に延長するくさび案内面を有するとともに、一端部に電柱に設けられたがいしに取付けるための取付部を有する基部と、その基部の他端側部分における前記くさび案内面の上方を覆う上アゴとを一体に有し、前記基部の他端側部分にある下アゴと前記くさび案内面の上方を覆う上アゴとによって配電線の芯線を側面から挿入し得るクランプ部が構成されていること、（ｃ）前記くさび体は、前記クランプ本体で、前記取付部から前記基部の他端側に近づくにつれ前記上アゴの内面との間隔が狭くなる前記くさび案内面に長手方向に移動自在に保持され、前記取付部側に移動されたときは前記配電線の芯線の前記クランプ部への挿入を可能にするとともに、前記基部の他端側に移動されたときはその挿入された配電線の芯線を前記下アゴ及び上アゴと協働して挾持するものであること、（ｄ）前記付勢手段は、クランプ本体に保持され、くさび体を前記クランプ部側に常時付勢するものであること、（ｅ）前記復帰移動阻止手段は、前記くさび体を前記付勢手段に抗して前記取付部側に移動したときは、そのくさび体に設けられた孔と前記基部に設けられた孔にピンを挿入して、そのくさび体が前記基部の他端側への復帰移動を阻止して、前記クランプ部に前記芯線を挿入できる状態に保持し、かつ、前記クランプ部に前記芯線を挿入した後は、前記ピンを抜いて阻止を解除して前記くさび体を復帰させ、前記芯線を挟持させるものであること、を特徴としている（請求項１）。
本発明に係るクランプは、付勢手段をクランプ本体の基部の取付部側部分とくさび体との間に前記くさび体と直列に設けたことを特徴としている（請求項２）。
本発明に係るクランプは、付勢手段をくさび体と並列に設け、前記くさび体にその付勢手段に係止される係止部を設けたことを特徴としている（請求項３）。
本発明に係るクランプは、クランプ本体の基部の一端側部分に付勢手段を挿入する挿入孔を設けたことを特徴としている（請求項４）。
本発明に係るクランプは、くさび体を付勢手段による付勢方向と反対方向に移動させるための突起部を設けたことを特徴としている（請求項５）。
【０００７】
【発明の実施の形態】
以下、本発明の実施の形態を図面に基づいて説明する。図１は一実施の形態に係るクランプＣ1 の正面図、図２はその右側面図、図３はその底面図である。
【０００８】
クランプＣ1 は、クランプ本体１と、くさび体６と、付勢手段の一例としてのスプリング９とからなっている。
クランプ本体１は、基部１ａと上アゴ１ｂとを一体に有し、その外観形状が１本の棒状体を呈していて、基部１ａの長手方向の一端部（図１では左端部）に、クランプＣ1 を図示しない電柱に設けられた耐張がいし等からなるがいしのピンに取付けるためのクレビス式の取付部２が設けられている。そして、基部１ａの上面には、取付部２の近傍から基部１ａの他端部まで長手方向に延長するくさび案内面５が形成されている。このくさび案内面５は、くさび体６を移動自在に案内するものである。その基部１ａの他端側部分、すなわち取付部２と反対側部分には、くさび案内面５の上方を覆う上アゴ１ｂが一体に形成されて、その上アゴ１ｂと基部１ａの他端側部分で構成される下アゴとによって、断面形状がほぼＣ字形の側面に開口するトンネル状のクランプ部３が形成されている。図中、４は、そのクランプ部３の側面の開口である。
【０００９】
基部１ａに形成されているくさび案内面５は、取付部２から基部１ａの他端側に近づくに連れて上アゴの内面３´との間隔が狭くなるように上アゴに対して傾斜されている。そして、くさび案内面５上には、くさび体６が摺動自在に備えられている。すなわち、クランプ部３内には、片くさび型のクランプが形成されている。
【００１０】
くさび案内面５の傾斜及びくさび体６の大きさは、図４に示されるように、くさび体６が取付部２側に移動されたときに、配電線Ｌの芯線Ｌ′を開口４からクランプ部３の中に挿入して、くさび体６の上に載せることができるように、また、そのくさび体６がクランプ部３側に移動されたときは（図１の状態）、そのくさび体６の上に載せられた芯線Ｌ′を上アゴ１ｂとくさび体６の間に挾持できるように決められている。
【００１１】
図中、７は、くさび体６をクランプ本体１内で移動自在に保持するビスであって、基部１ａの長手方向に設けられた長穴８に貫通して設けられている。また、９はスプリングであって、クランプ本体１の基部１ａ内に、取付部側部分とくさび体との間においてくさび案内面に沿って伸縮自在に設けられている。すなわち、スプリング９は、クランプ本体の基部の取付部側部分とくさび体との間にくさび体６と直列に設けられていて、くさび体６をクランプ部３方向へ常時付勢するように作用している。
【００１２】
図中、Ｐはピンであって、くさび体６を図４に示されるように取付部２側にスプリング９に抗して移動された時、クランプ部３の開口４から芯線Ｌ′を挿入できる状態に保持するものであり、基部１ａに設けられた孔１０とくさび体６に設けられた孔１１とを一致させて、その孔１０，１１にピンＰを挿入すると、くさび体６のスプリング９による復帰移動を阻止することができる。
【００１３】
上記構成のクランプＣ1 に配電線を固定する手順は、先ず、くさび体６が取付部２側に保持された状態で（図４の状態で）クランプＣ1 の取付部２が図示しない電柱のアームに設けられているがいしに取付けられる。配電線Ｌは、クランプＣ1 に取付けられる部分の被覆がくさび体６の長さより少し長く剥ぎとられて芯線Ｌ′が露出した状態とされている。
【００１４】
被覆の剥ぎとられた芯線Ｌ′をクランプ部３の側面の開口４から挿入し、その後、ピンＰをクランプ本体１から抜き取ると、くさび体６はスプリング９により復帰移動され、案内面５のテーパ面の作用によりクランプ部３のくさび体６と上アゴ１ｂの内面３´との間隔が徐々に小さくなり、ついには、上アゴ１ｂ及び下アゴと協働するくさび体６により芯線Ｌ′が挾持される。そして、配電線Ｌに取付部２と反対方向に張力が加わると、くさび体６のくさび効果により、芯線Ｌ′は、クランプ部３に強固に固定される（図１参照）。
【００１５】
なお、図面では省略されているが、くさび体６の芯線Ｌ′と当接される面、及びそのくさび体６と対向する上アゴ１ｂの内面３′には、芯線Ｌ′の長手方向と直交する方向に延びる多条の溝を設けると、くさび体６に対する芯線Ｌ′の滑りがなく、高い挾持力を得ることができる。
【００１６】
クランプ部３で挾持された配電線Ｌの取付部２側に延長された部分は、ジャンパ線Ｊとして利用される。上記構成のクランプＣ1 は、配電線Ｌをいわゆるワンタッチで固定することができるので、柱上作業が極めて簡素化でき、特に、活線作業を安全、かつ、容易に行うことができる。
【００１７】
図５に示されるクランプＣ2 は、本発明の他の実施の形態を示すもので、クランプ部３の上アゴ１ｂのくさび体６と対向する内面３′も取付部２と反対方向に下り傾斜されて、くさび案内面５と内面３′とで両テーパ状に形成されている。したがって、このクランプＣ2 は、クランプ部３が両くさびと類似した力で芯線Ｌ′を挾持することができる。
【００１８】
図６に示されるクランプＣ3 は、本発明のさらに他の実施の形態を示したものであり、クランプＣ3 に取付けられた配電線Ｌ（図１参照）の軸心方向が取付部２を貫通するピンの軸心方向と直交するように、取付部２の位置を上方へ移動させたものである。このように、取付部２と配電線Ｌの軸心が直交すると、クランプ部３の部分における配電線Ｌの負担を軽減することができる。なお、このクランプＣ3 においても、上アゴ１ｂのくさび体６に対向する内面３′に上記図５に示されたのと同様のテーパを設けることができる。
【００１９】
図７（ａ）は、本発明のさらに他の実施の形態に係るクランプＣ4 の平面図、同図（ｂ）はその正面図、同図（ｃ）はその右側面図、図８はくさび体の正面図である。なお、上述と同じ構成要素には同一符号が付されている。
【００２０】
このクランプＣ4 には、クランプ本体１の長手方向に沿って延び、取付部２側が閉止され、かつ、クランプ部３側が開口されているとともに、くさび案内面５と異なる位置に設けられ、くさび案内面５に連通するスリット５′を有する、くさび案内面と平行な挿入孔１ｃが設けられている。そして、この挿入孔１ｃにはスプリング９がくさび体の移動方向に伸縮自在に挿入されている。つまり、スプリング９は、くさび体と並列に設けてある。
【００２１】
くさび体６のくさび案内面５に接する側のほぼ中央部には、ビスからなる係止部６ｂが設けられている。この係止部６ｂはスリット５′を貫通し、挿入孔１ｃ内に位置する先端部が、スプリング９の力をくさび体６に伝えることができるように構成されている。この係止部６ｂは、くさび体６がクランプ本体１から脱落するのを阻止する役目も果たしている。
【００２２】
くさび体６の開口４側に位置する部分には、正面側（図７（ａ）においては下側）に突出する突起部６ａがくさび体６と一体的に設けられている。したがって、くさび体６は、この突起部６ａを取付部２側にスプリング９に抗して移動させると、くさび体６を取付部２側に容易に移動させることができる（図７（ｂ）の二点鎖線で示されるくさび体６参照）。
【００２３】
図７中、２０は、取付部２を図示しないがいしに取付けるためのピンであり、また、２１は、挿入孔１ｃのクランプ本体１の他端部側部分に設けられた、例えば割ピン等で構成されたストッパであって、挿入孔１ｃ内に挿入されたスプリング９が逸脱するのを防止するために用いられている。
【００２４】
上記構成のクランプＣ4 は、スプリング９がクランプ本体１の基部１ａ内に設けられるので、そのクランプ本体１の長手方向の長さを短くすることができ、全体的形状を小型化することができる。このため、配電線Ｌ（図１参照）をクランプＣ4 で固定した後、そのクランプＣ4 を覆うための絶縁カバー（図示せず）は、既存の絶縁カバーを用いることができる。
【００２５】
上記構成のクランプＣ4 への配電線の固定は、上記図１〜図６に示されるクランプＣ1 〜Ｃ3 と同一であるので、その説明は省略する。
【００２６】
図９〜図１１は、本発明のさらに他の実施の形態に係るクランプＣ5 を示している。ここに示されるクランプＣ5 は、くさび体を両くさび型のくさび体（以下、「両くさび体」という。）３０としたことを特徴としていて、図９（ａ）は、その両くさび体３０が取付部２側に移動された状態の正面図、同図（ｂ）は、その両くさび体３０がクランプ部３側に移動された状態の正面図である。なお、上述と同じ構成要素には同一符号が付されている。
【００２７】
このクランプＣ5 のくさび案内面５と上アゴ１ｂの内面３´は、上記図５のクランプＣ2 と同様に、基部１ａの他端部方向に行くにしたがって、共に先細りとなる両テーパ状に形成されている。そして、そのクランプ部３の上アゴ１ｂには、上記図１の長穴８に相当する長穴８ａが設けられている。この長穴８ａには、上記図１のビス７に相当するビス７ａが設けられ、そのビス７ａは両くさび体３０のうちの上アゴ１ｂ側に位置するくさび体３１ａを移動自在に保持している。なお、両くさび体３０の他のくさび体３１ｂは、上記図７に示されるくさび体６と同様にして基部１ａに移動自在に保持されている。
【００２８】
両くさび体３０を図１０及び図１１を用いて説明すると、図１０はその両くさび体３０の正面図、図１１は図１０の左側面図である。
【００２９】
両くさび体３０は、配電線Ｌの芯線Ｌ′（図１参照）を両側から挾持する一対のくさび体３１ａ，３１ｂを有している。そして、一対のくさび体３１ａ，３１ｂは、クランプ部３に挿入される側と反対側において連結手段により連結されている。この連結手段は、一方のくさび体３１ｂの側面から他方のくさび体３１ａの側面側に伸びる連結片３２と、その連結片３２の長手方向に沿うように設けられた長穴３３に移動自在に挿入される、他方のくさび体３１ａに設けられた突起３４とで構成されている。連結片３２は、上記図７の突起部６ａと同様に、両くさび体３０をスプリング９に抗して移動させるときにも利用される。
【００３０】
上記構成の両くさび体３０は、スプリング９に抗して取付部２側に移動されると、一対のくさび体３１ａ，３１ｂは互いに離れて、その間に配電線Ｌの芯線Ｌ′を挿入させることができ、また、クランプ部３側に移動されると、一対のくさび体３１ａ，３１ｂは互いに接近してクランプ部３の上アゴ１ｂ及び下アゴ（基部１ａの他端側部分）と協働して配電線Ｌの芯線Ｌ′（図１参照）を挾持できる（図９（ｂ）参照）。
【００３１】
上記構成のクランプＣ5 に配電線Ｌを固定するときは、先ず、両くさび体３０が図９（ａ）に示されるように、取付部２側に移動され、図９（ａ），（ｂ）では省略されているピンＰ（図１参照）が孔１０，１１に挿入されてその状態に保持される。そして、両くさび体３０の一対のくさび体３１ａ，３１ｂ間に配電線Ｌの芯線Ｌ′を挿入した後、前記ピンＰが孔１０，１１から抜き取られる。これにより、両くさび体３０はスプリング９によりクランプ部３側に移動され、芯線Ｌ′を挾持することができる。次いで、配電線Ｌに取付部２と反対方向に張力が加わると、両くさび体３０のくさび効果により、芯線Ｌ′はクランプ部３に強固に固定される。
【００３２】
【発明の効果】
本発明によれば、くさび体を付勢手段に抗して取付部側に移動したときは、そのくさび体に設けられた孔とクランプ本体の基部に設けられた孔にピンを挿入して、そのくさび体が前記基部の他端側への復帰移動を阻止して、クランプ本体のクランプ部に芯線を挿入できる状態に保持し、かつ、前記クランプ部に前記芯線を挿入した後は、前記ピンを抜いて阻止を解除して前記くさび体を復帰させ、前記芯線を挟持させる復帰移動阻止手段を備えたので、配電線の芯線のクランプ部への挿入を容易に行なうことが可能になる。また、挿入後は、付勢手段によりくさび体がクランプ部側に復帰されてその挿入された配電線を上下のアゴと協働して挾持するので、従来と異なり、ボルトの締付けや、くさびの打込み作業等を行うことなく、電線把持ができるとともに、芯線に芯線とは別のジャンパ線を取付ける作業も省略することができる。したがって、柱上作業が簡素化でき、特に、活線作業を安全、かつ、容易に行うことができる。
付勢手段をクランプ本体の基部の取付部側部分とくさび体との間に前記くさび体と直列に設ける場合は、付勢手段の取付構造が簡単であり、安価なクランプの提供が可能である。
付勢手段をくさび体と並列に設け、前記くさび体にその付勢手段に係止される係止部を設ける場合は、全体形状を小型化することができる。
クランプ本体の基部の一端側部分に付勢手段を挿入する挿入孔を設ける場合は、全体形状を小型化することができ、既存の絶縁カバーを用いることができる。
くさび体を付勢手段による付勢方向と反対方向に移動させるための突起部を設ける場合は、くさび体の移動を容易に行うことができる。
【図面の簡単な説明】
【図１】  本発明の一実施の形態に係るクランプの正面図である。
【図２】  図１のクランプの右側面図である。
【図３】  図１のクランプの底面図である。
【図４】  図１のクランプのくさび体を移動した状態の正面図である。
【図５】  本発明の他の実施の形態に係るクランプの正面図である。
【図６】  本発明のさらに他の実施の形態に係るクランプの正面図である。
【図７】  本発明の他の実施の形態に係るクランプを示すものであり、（ａ）は平面図、（ｂ）は正面図、（ｃ）は右側面図である。
【図８】  図７に示されるくさび体の正面図である。
【図９】  本発明のさらに他の実施の形態に係るクランプであって、（ａ）は両くさび体が取付部側に移動したときの正面図、（ｂ）は両くさび体がクランプ部側に移動したときの正面図である。
【図１０】  図９に示される両くさび体の正面図である。
【図１１】  図１０の左側面図である。
【符号の説明】
Ｃ1 〜Ｃ5   クランプ
１  クランプ本体
１ａ  基部
１ｂ  上アゴ
１ｃ  挿入孔
２  取付部
３  クランプ部
４    開口
５    くさび案内面
５′  スリット
６  くさび体
６ａ  突起部
６ｂ  係止部
７    ビス
８    長穴
９  スプリング（付勢手段）
３０  両くさび型のくさび体（両くさび体）
３１ａ，３１ｂ  くさび体
３２  連結片
３３  長穴
３４  突起
Ｌ    配電線
Ｌ′  芯線
【図１】
0004484401.tif 000002
【図２】
0004484401.tif 000003
【図３】
0004484401.tif 000004
【図４】
0004484401.tif 000005
【図５】
0004484401.tif 000006
【図６】
0004484401.tif 000007
【図７】
0004484401.tif 000008
【図８】
0004484401.tif 000009
【図９】
0004484401.tif 000010
【図１０】
0004484401.tif 000011
【図１１】
0004484401.tif 000012